(57)【要約】      （修正有）【課題】水切り部材を取り付ける作業が簡単でシーリング施工も容易に行え、外観意匠を損なわずに、雨水伝い汚れや凍害を防止することが出来る水切り部材を提供する。【解決手段】建物の窓枠サッシの下方位置に施工される水切り部材であって、垂直部と斜面部と前板部と外壁材上端部に係止するための水平係止部とを有している。水平係止部は、両端部に切欠部を設けてなる。水切り部材は、両端部に雨水を堰き止める堰止部を設けてなる。【選択図】図２
0003135365.tif 000002
【実用新案登録請求の範囲】
【請求項１】
建物の窓枠サッシの下方位置に施工される水切り部材であって、垂直部と斜面部と前板部と外壁材上端部に係止するための水平係止部とを有していることを特徴とする水切り部材。
【請求項２】
前記水平係止部は、両端部に切欠部を設けてなることを特徴とする請求項１に記載の水切り部材。
【請求項３】
請求項１または請求項２に記載の水切り部材であって、両端部に雨水を堰き止める堰止部を設けてなることを特徴とする水切り部材。
【考案の詳細な説明】
【技術分野】
【０００１】
本考案は、建物の窓枠サッシの下方位置に施工される水切り部材に関する。
【背景技術】
【０００２】
窓枠用サッシの下方に水切り部材を施工する例として、取付固定板の垂直部に上下調整できる固定具用長孔が設けられ、下方に開放して位置調整を容易となし、また、外壁材との接合部分にシーリング材が充填される面取り状凹部を有する窓用水切り部材がある（引用文献１）。
【０００３】
また、雨水の伝い汚れや凍害を防止するために、外壁面より前方に突出させた水切り部材を窓枠用サッシの下方に配設し、該水切り部材は、外壁材表面に当接する当接部と雨水を伝わせるガイド部を有し、該ガイド部は、傾斜した上面部と垂直な前面部と滑らかに連結する曲面部と先端が屈曲した屈曲下端部で構成した雨垂れ防止構造の例もある（引用文献２）。
【０００４】
【特許文献１】特開平８−１００５７８公報
【特許文献２】特開２００４−３５３１９８公報
【考案の開示】
【考案が解決しようとする課題】
【０００５】
ところが、外壁材を窓枠に施工する場合、窓枠サッシ下方位置と外壁材上端部との間に通常１０ｍｍ程度のシーリング目地を設けるが、引用文献１の方法の場合、水切り部材と外壁面の隙間を塞ぐように、水切り部材上部にもシーリング材を打設する必要があり、シーリング材の打設部が外観上２ケ所の見えることになり、外観意匠を損なうという問題点がある。
また、窓枠水切り部材を外壁材表面に取り付ける場合、一般的に、窓枠水切り部材を適切な位置に配し、該窓枠水切り部材を手でもって保持しながらネジによって取り付けねばならず、この固定作業に手間取り位置調整も困難であるという問題がある。  
【０００６】
本考案は、かかる現状に鑑みてなされたものであり、即ち、水切り部材の取付け作業が簡単でシーリング施工も容易に行え、しかも、外観意匠を損なわず雨水伝い汚れや凍害を防止することも可能な水切り部材を提供することを目的とする。
【課題を解決するための手段】
【０００７】
上記の目的を達成するために、本請求項１に記載の考案は、建物の窓枠サッシの下方位置に施工される水切り部材であって、垂直部と斜面部と前板部と外壁材上端部に係止するための水平係止部とを有していることを特徴とする水切り部材である。
本請求項２に記載の考案は、前記水平係止部は、両端部に切欠部を設けてなることを特徴とする請求項１に記載の水切り部材である。
本請求項３に記載の考案は、請求項１または請求項２に記載の水切り部材であって、両端部に雨水を堰き止める堰止部を設けてなることを特徴とする水切り部材である。
【考案の効果】
【０００８】
本考案の水切り部材によれば、窓枠サッシの下方位置と外壁材上端部の木口面との間には、通常、１０ｍｍ程度のシーリングを打設用の隙間を設けるが、外壁材上端部に係止するための水平係止部が前記外壁材上端部と窓枠サッシの下方位置との隙間に位置することになるので、一時的に手でもって保持しなくても外壁材に保持できるという利点がある。
【０００９】
また、窓枠サッシの下方位置にシーリング目地が設けられることになるので、シーリングカ所自体が目立たず、窓枠サッシの下方位置のシーリング材と水切り部材とが一体化し、意匠上すっきりした外観を呈する。さらに、水平係止部の端部に切欠部があるので、シーリング目地の外側の外壁面にまで施工が出来るので、外壁材とシーリング材との密着性が一段と向上する。
【００１０】
また、本考案にかかる水切り部材は、左右端部に雨水を堰き止めるための堰止部を設けているので、窓枠サッシを伝わる雨水を水平な水切り部材で受け止めて、堰止部により内側に流水されるので、雨水が外壁材に付着することが確実に防止される。この結果、窓枠サッシの下部周辺の外壁材の表面に雨水伝い汚れが生ずることを防止でき、雨水伝いを原因とする凍害の発生も確実に防止することができる。
【考案を実施するための最良の形態】
【００１１】
以下、図面を参照しながら本考案を詳細に説明する。
図１は、本考案にかかる水切り部材の断面図を示す。
図２は、本考案にかかる水切り部材を施工した窓枠サッシ下端部を示す施工断面図である。
図３は、本考案にかかる水切り部材を施工した窓枠サッシの下方部分を示す施工斜視図と端部拡大図と施工正面図である。
以下に、各部分の詳細な説明を示す。
【００１２】
（水切り部材）
図１、図２に示すように、水切り部材１は、垂直部５と斜面部３と前板部４と外壁材上端部７ａに係止するための水平係止部２とを有し、窓枠サッシ１０の下方位置と外壁材７の上端部７ａの木口面との間に配設されることを特徴としている。
また、図３（ｂ）に示すように、前記水平係止部２は、両端部に切欠部１３を設けたことを特徴としている。更に、図３（ａ）に示すように、水切り部材１は、両端部に雨水を堰き止める堰止部６を設けたことを特徴としている。材質は、金属製や樹脂製等でよく、特に限定はされない。
【００１３】
（外壁材）
外壁材としては、木片、木質パルプ、木質繊維やパルプ等の木質補強材を添加したセメント板（木質セメント板）、セメント押出成形板、パルプセメント板、石膏板、ケイ酸カルシウム板、炭酸マグネシウム板、セメント板等が使用される。
【００１４】
（シーリング材）
シーリング材は、外壁材の上端部木口面との防水性能を満たし、施工後の外壁材の収縮の変化に追従し、切れや剥離などの密閉破壊が生じないものであれば良い。
特に限定はされないが、変成シリコーン系、ポリサルファイド系、ポリウレタン系、アクリル系、ブチルゴム系があり、好ましくは、変成シリコーン系、ポリサルファイド系、ポリウレタン系といった弾性シーリング材が使用される。
【００１５】
（実施例１）
次に、本考案にかかる水切り部材の施工方法について説明する。
図１に示すように、水平係止部２と傾斜部３と前板部４と垂直部５で構成される水切り部材１を用意する。次に、図２に示すように、建物躯体（柱）１１に対して、窓枠サッシ１０をその下方位置にネジで固定し、更に、窓枠サッシ１０の下方に胴縁９を外壁材７の下地材として施工する。次に、外壁材７の端部７ａに、水切り部材１の水平係止部２を当接させて、一時的に保持し、垂直部５を外壁材７の表面に当接させて位置を調整し、ビス１２で外壁材７に固定する。なお、図２中、波線で示しているのは、エンドキャップである。
【００１６】
図３（ｂ）に示すように、窓枠サッシ１０の外側に施工されるシーリング材８の外方縁外側に１０〜１５ｍｍ程度の幅で水切り部材１を切り欠いて、水平係止部２の左右の端部に切欠部１３を設ける。この切欠部１３は、外壁材７に水切り部材１を差し込みしやすくするためと、シーリング材８の外側の外壁面までシーリング施工するので、窓枠サッシ１０に伝わる雨水を確実に受け止めために設けている。更に、外壁材７とシーリング材８との密着を良好に保つためである。次に、外壁材７に向かってビス１２で垂直部５から固定する。固定後に、堰止部６のエンドキャップを水切り部材１の左右側面部に接着剤でもって固定する。施工後に、シーリング材８を窓枠サッシ１０と外壁材７との隙間に打設する。
【００１７】
これにより、窓枠サッシ１０の下方位置にシーリング目地が設けられることになるので、シーリング材８自体が目立たず、窓枠サッシ１０と外壁材７の隙間は１箇所でシーリング施工が完了するので、簡単に施工でき、防水性も格段に向上する。
【産業上の利用可能性】
【００１８】
従来から窓枠水切り部材や雨水伝い防止構造と違い、本考案にかかる水切り部材は、水平係止部をシーリング目地内の外壁材端部に係止した状態で外壁面に固定でき、シーリング目地と一体化しているので、該水切り部材上部に改めてシーリング材を打設する必要がない。すなわち、非常に施工が容易であり、意匠上すっきりした外観の水切り部材が得られる。
【図面の簡単な説明】
【００１９】
【図１】本考案にかかる水切り部材の断面図である。
【図２】本考案にかかる水切り部材を施工した窓枠サッシ下端部を示す施工断面図である。
【図３】本考案にかかる水切り部材を施工した窓枠サッシの下方部分を示す施工斜視図と端部拡大図と施工正面図である。
【符号の説明】
【００２０】
１    水切り部材
２    水平係止部
３    傾斜部
４    前板部
５    垂直部
６    堰止部
７    外壁材
７ａ  外壁材上端部
８    シーリング材
９    胴縁
１０  窓枠サッシ
１１  躯体（柱）
１２  ビス
１３  切欠部
【図１】
0003135365.tif 000003
【図２】
0003135365.tif 000004
【図３】
0003135365.tif 000005